(57)【要約】【課題】簡易的に受信装置が置かれている環境の電波状態をユーザに知らせることが可能な電波状態検出装置を提供する。【解決手段】電波状態検出装置は、受信装置に適用され、当該受信装置における電波状態を検出する。具体的には、電波状態検出手段は、送信装置と受信装置とが非通信状態にある際に、受信装置内の処理部が処理した信号に基づいて、受信装置の設置場所における電波状態を検出する。そして、表示手段は、検出された電波状態に対応する情報を表示する。これにより、簡易的に、受信装置が置かれている環境の電波状態をユーザに知らせることができ、受信装置の設置を最適に行わせることが可能となる。【選択図】図２
2010025660.tif 000002
【特許請求の範囲】
【請求項１】
送信装置から送信された無線信号を受信し、前記無線信号に対して処理を行う処理部を有する受信装置に適用される電波状態検出装置であって、
前記送信装置と前記受信装置とが非通信状態にある際に、前記受信装置の設置場所における電波状態を、前記処理部が処理した信号に基づいて検出する電波状態検出手段と、
前記電波状態検出手段が検出した前記電波状態に対応する情報を表示する表示手段と、を備えることを特徴とする電波状態検出装置。
【請求項２】
前記処理部は、前記送信装置から送信された前記無線信号に対して自動的に利得の調整を行う自動利得制御回路を有し、
前記電波状態検出手段は、前記自動利得制御回路から前記利得を取得し、当該利得に基づいて前記電波状態の検出を行うことを特徴とする請求項１に記載の電波状態検出装置。
【請求項３】
前記電波状態検出手段は、複数の設置場所に前記受信装置を設置した場合の前記電波状態を検出し、
前記表示手段は、前記複数の設置場所で検出された前記電波状態に対応する情報を表示すると共に、当該電波状態の比較結果を表示することを特徴とする請求項１又は２に記載の電波状態検出装置。
【請求項４】
前記電波状態検出手段は、前記受信装置の設置場所を固定して、妨害波を発し得る妨害源を動作させた場合及び／又は移動させた場合の前記電波状態を検出し、
前記表示手段は、前記妨害源を動作させた場合及び／又は移動させた場合に検出された前記電波状態に対応する情報を表示することを特徴とする請求項１又は２に記載の電波状態検出装置。
【請求項５】
前記電波状態検出手段は、前記受信装置の設置場所を固定して、当該受信装置の方向を回転させた場合の前記電波状態を検出し、
前記表示手段は、前記受信装置の方向を回転させた場合に検出された前記電波状態に対応する情報を表示することを特徴とする請求項１又は２に記載の電波状態検出装置。
【請求項６】
前記電波状態検出手段は、前記受信装置における受信チャンネルごとに前記電波状態の検出を行い、
前記表示手段は、前記受信チャンネルごとに検出された前記電波状態に対応する情報を表示することを特徴とする請求項１乃至５のいずれか一項に記載の電波状態検出装置。
【請求項７】
前記受信チャンネルごとに前記電波状態の検出を行った中で、最も電波状態が良好であった受信チャンネルに設定する手段を更に備える請求項６に記載の電波状態検出装置。
【請求項８】
前記表示手段は、前記電波状態検出手段が検出した前記電波状態に基づいて、妨害波のレベルに相当する情報を表示することを特徴とする請求項１乃至７のいずれか一項に記載の電波状態検出装置。
【請求項９】
前記表示手段は、前記送信装置及び／又は前記受信装置を操作するリモコンに、前記電波状態に対応する情報を表示させることを特徴とする請求項１乃至８のいずれか一項に記載の電波状態検出装置。
【請求項１０】
前記電波状態検出手段が検出した前記電波状態に応じた音を発生させる手段を更に備えることを特徴とする請求項１乃至９のいずれか一項に記載の電波状態検出装置。
【請求項１１】
前記電波状態検出手段が検出した前記電波状態を記憶する記憶手段を更に備え、
前記表示手段は、前記記憶手段に記憶された前記電波状態に対応する情報を表示することを特徴とする請求項１乃至１０のいずれか一項に記載の電波状態検出装置。
【請求項１２】
オーディオワイヤレススピーカに適用されることを特徴とする請求項１乃至１１のいずれか一項に記載の電波状態検出装置。
【請求項１３】
送信装置から送信された無線信号を受信し、前記無線信号に対して処理を行う処理部を有する受信装置において行われる電波状態検出方法であって、
前記送信装置と前記受信装置とが非通信状態にある際に、前記受信装置の設置場所における電波状態を、前記処理部が処理した信号に基づいて検出する電波状態検出工程と、
前記電波状態検出工程が検出した前記電波状態に対応する情報を表示する表示工程と、を備えることを特徴とする電波状態検出方法。
【請求項１４】
送信装置から送信された無線信号を受信し、前記無線信号に対して処理を行う処理部を有する受信装置によって実行される電波状態検出プログラムであって、
前記受信装置を、
前記送信装置と前記受信装置とが非通信状態にある際に、前記受信装置の設置場所における電波状態を、前記処理部が処理した信号に基づいて検出する電波状態検出手段、
前記電波状態検出手段が検出した前記電波状態に対応する情報を表示する表示手段、として機能させることを特徴とする電波状態検出プログラム。
【発明の詳細な説明】
【技術分野】
【０００１】
本発明は、送信装置から送信された無線信号を受信する受信装置における電波状態を検出する技術分野に関する。
【背景技術】
【０００２】
この種の技術が、特許文献１乃至５に提案されている。特許文献１には、通信状況悪化を検出し、その状況をユーザに知らせることが提案されている。特許文献２には、受信チャンネル及びその隣接チャンネルの妨害波を特定し、妨害波プロファイルをモニタ部に表示して視聴障害の内容を報知することが提案されている。特許文献３には、妨害波による混信を検出し、その状態を表示することが提案されている。特許文献４には、映像及び音声データの伝送状況をＴＶのＯＳＤや音声にて報知することが提案されている。特許文献５には、ＡＧＣ回路（自動利得制御回路）付きの無線受信機で、妨害波を検出し、レベルに応じて入力レベルを調整することが提案されている。その他にも、本発明に関連のある技術が特許文献６及び７に提案されている。
【０００３】
【特許文献１】特開平８−８８０２号公報
【特許文献２】特開２００４−２３６０７６号公報
【特許文献３】特開２００５−３４８３３８号公報
【特許文献４】特開２００４−３３６７２９号公報
【特許文献５】特開２００２−１１１５２２号公報
【特許文献６】特開平９−１０２７６６号公報
【特許文献７】特開２００１−２６７９９８号公報
【発明の開示】
【発明が解決しようとする課題】
【０００４】
しかしながら、上記した特許文献１乃至７に記載された技術では、簡易的に、受信装置における電波状態をユーザに知らせ、電波的環境の良い位置に受信装置を設置できるように導くことが困難であった。
【０００５】
本発明が解決しようとする課題は上記のようなものが例として挙げられる。本発明は、簡易的に受信装置が置かれている環境の電波状態をユーザに知らせることで、機器の設置を最適に行わせることが可能な電波状態検出装置、電波状態検出方法、及び電波状態検出プログラムを提供することを課題とする。
【課題を解決するための手段】
【０００６】
請求項１に記載の発明では、送信装置から送信された無線信号を受信し、前記無線信号に対して処理を行う処理部を有する受信装置に適用される電波状態検出装置は、前記送信装置と前記受信装置とが非通信状態にある際に、前記受信装置の設置場所における電波状態を、前記処理部が処理した信号に基づいて検出する電波状態検出手段と、前記電波状態検出手段が検出した前記電波状態に対応する情報を表示する表示手段と、を備える。
【０００７】
請求項１３に記載の発明では、送信装置から送信された無線信号を受信し、前記無線信号に対して処理を行う処理部を有する受信装置において行われる電波状態検出方法は、前記送信装置と前記受信装置とが非通信状態にある際に、前記受信装置の設置場所における電波状態を、前記処理部が処理した信号に基づいて検出する電波状態検出工程と、前記電波状態検出工程が検出した前記電波状態に対応する情報を表示する表示工程と、を備える。
【０００８】
請求項１４に記載の発明では、送信装置から送信された無線信号を受信し、前記無線信号に対して処理を行う処理部を有する受信装置によって実行される電波状態検出プログラムは、前記受信装置を、前記送信装置と前記受信装置とが非通信状態にある際に、前記受信装置の設置場所における電波状態を、前記処理部が処理した信号に基づいて検出する電波状態検出手段、前記電波状態検出手段が検出した前記電波状態に対応する情報を表示する表示手段、として機能させる。
【発明を実施するための最良の形態】
【０００９】
本発明の１つの実施形態では、送信装置から送信された無線信号を受信し、前記無線信号に対して処理を行う処理部を有する受信装置に適用される電波状態検出装置は、前記送信装置と前記受信装置とが非通信状態にある際に、前記受信装置の設置場所における電波状態を、前記処理部が処理した信号に基づいて検出する電波状態検出手段と、前記電波状態検出手段が検出した前記電波状態に対応する情報を表示する表示手段と、を備える。
【００１０】
上記の電波状態検出装置は、受信装置に適用され、当該受信装置における電波状態を検出する。具体的には、電波状態検出手段は、送信装置と受信装置とが非通信状態にある際に、受信装置内の処理部が処理した信号に基づいて、受信装置の設置場所における電波状態を検出する。そして、表示手段は、検出された電波状態に対応する情報を表示する。これにより、簡易的に、受信装置が置かれている環境の電波状態を適切にユーザに知らせることができる。よって、別の場所に受信装置を設置すべきであることをユーザに知らせることで、電波的環境の良い場所に受信装置を設置するよう促すことができたり、妨害源が分かっている場合は当該妨害源を移動させることを促したりすることができる。
【００１１】
上記の電波状態検出装置の一態様では、前記処理部は、前記送信装置から送信された前記無線信号に対して自動的に利得の調整を行う自動利得制御回路を有し、前記電波状態検出手段は、前記自動利得制御回路から前記利得を取得し、当該利得に基づいて前記電波状態の検出を行う。これにより、新たな回路などを追加する必要がないので、コストアップを適切に抑制することができる。
【００１２】
上記の電波状態検出装置の他の一態様では、前記電波状態検出手段は、複数の設置場所に前記受信装置を設置した場合の前記電波状態を検出し、前記表示手段は、前記複数の設置場所で検出された前記電波状態に対応する情報を表示すると共に、当該電波状態の比較結果を表示する。これにより、設置場所の変更によって電波状態がどのように変化したかをユーザに適切に伝えることができ、受信装置を設置する環境における電波的傾向をユーザに知らせることが可能となる。
【００１３】
上記の電波状態検出装置の他の一態様では、前記電波状態検出手段は、前記受信装置の設置場所を固定して、妨害波を発し得る妨害源を動作させた場合及び／又は移動させた場合の前記電波状態を検出し、前記表示手段は、前記妨害源を動作させた場合及び／又は移動させた場合に検出された前記電波状態に対応する情報を表示する。
【００１４】
上記の電波状態検出装置の他の一態様では、前記電波状態検出手段は、前記受信装置の設置場所を固定して、当該受信装置の方向を回転させた場合の前記電波状態を検出し、前記表示手段は、前記受信装置の方向を回転させた場合に検出された前記電波状態に対応する情報を表示する。
【００１５】
上記の電波状態検出装置において好適には、前記電波状態検出手段は、前記受信装置における受信チャンネルごとに前記電波状態の検出を行い、前記表示手段は、前記受信チャンネルごとに検出された前記電波状態に対応する情報を表示する。また、前記受信チャンネルごとに前記電波状態の検出を行った中で、最も電波状態が良好であった受信チャンネルに設定する手段を更に備える。
【００１６】
好適には、前記表示手段は、前記電波状態検出手段が検出した前記電波状態に基づいて、妨害波のレベルに相当する情報を表示する。
【００１７】
また好適には、前記表示手段は、前記送信装置及び／又は前記受信装置を操作するリモコンに、前記電波状態に対応する情報を表示させる。これにより、受信装置からある程度離れた位置でユーザが検出を行っている場合にも、電波状態を容易に認識させることができる。
【００１８】
更に好適には、前記電波状態検出手段が検出した前記電波状態に応じた音を発生させる手段を更に備える。これによっても、受信装置からある程度離れた位置でユーザが検出を行っている場合にも、電波状態を容易に認識させることができる。
【００１９】
上記の電波状態検出装置において好適には、前記電波状態検出手段が検出した前記電波状態を記憶する記憶手段を更に備え、前記表示手段は、前記記憶手段に記憶された前記電波状態に対応する情報を表示する。
【００２０】
１つの実施例では、上記の電波状態検出装置は、オーディオワイヤレススピーカに適用される。
【００２１】
本発明の他の観点では、送信装置から送信された無線信号を受信し、前記無線信号に対して処理を行う処理部を有する受信装置において行われる電波状態検出方法は、前記送信装置と前記受信装置とが非通信状態にある際に、前記受信装置の設置場所における電波状態を、前記処理部が処理した信号に基づいて検出する電波状態検出工程と、前記電波状態検出工程が検出した前記電波状態に対応する情報を表示する表示工程と、を備える。
【００２２】
また、本発明の他の観点では、送信装置から送信された無線信号を受信し、前記無線信号に対して処理を行う処理部を有する受信装置によって実行される電波状態検出プログラムは、前記受信装置を、前記送信装置と前記受信装置とが非通信状態にある際に、前記受信装置の設置場所における電波状態を、前記処理部が処理した信号に基づいて検出する電波状態検出手段、前記電波状態検出手段が検出した前記電波状態に対応する情報を表示する表示手段、として機能させる。
【００２３】
上記の電波状態検出方法及び電波状態検出プログラムによっても、簡易的に、受信装置が置かれている環境の電波状態をユーザに知らせることができ、受信装置の設置を最適に行わせることが可能となる。
【実施例】
【００２４】
以下、図面を参照して本発明の好適な実施例について説明する。
【００２５】
［装置構成］
図１は、本実施例に係るオーディオワイヤレススピーカ１００の概略構成図を示す。オーディオワイヤレススピーカ１００は、主に、送信装置２と受信装置３とを有する。なお、オーディオワイヤレススピーカ１００は、ワイヤレス伝送機器（無線伝送システム）の一例である。
【００２６】
送信装置２は、主に、制御部２１と、ＲＦ（Radio Frequency）出力部２２と、変調部２３と、音声再生装置２４と、を備える。音声再生装置２４は、音声を再生可能に構成されており、再生したオーディオ信号Ａ２１を変調部２３に供給する。例えば、音声再生装置２４は、ＤＶＤなどのメディアを再生可能に構成されている。変調部２３は、音声再生装置２４から供給されたオーディオ信号Ａ２１を変調し、変調した後のオーディオ信号Ａ２２をＲＦ出力部２２に供給する。ＲＦ出力部２２は、変調部２３から供給されたオーディオ信号Ａ２２を取得し、この信号に対して所定の処理を行い、ＲＦ信号Ａ２０として受信装置３に対してワイヤレス伝送する。制御部２１は、ＲＦ出力部２２、変調部２３、及び音声再生装置２４のそれぞれと制御信号Ｃ２２、Ｃ２３、Ｃ２４を送受信することで制御を行う。
【００２７】
受信装置３は、制御部３１と、ＲＦ入力部３２と、復調部３３と、スピーカ３４と、記憶部３５と、表示部３６と、を備える。ＲＦ入力部３２は、図示しないアンテナを介して、送信装置２のＲＦ出力部２２からワイヤレス伝送されたＲＦ信号Ａ２０を受信し、この信号に対して所定の処理を行い、オーディオ信号Ａ３１として復調部３３に供給する。復調部３３は、ＲＦ入力部３２から供給されたオーディオ信号Ａ３１を復調し、復調した後のオーディオ信号Ａ３２をスピーカ３４に供給する。スピーカ３４は、図示しない増幅部なども備え、復調部３３から供給されたオーディオ信号Ａ３２を増幅して音声として出力する。制御部３１は、ＲＦ入力部３２、復調部３３、及びスピーカ３４のそれぞれと制御信号Ｃ３２、Ｃ３３、Ｃ３４を送受信することで制御を行う。また、制御部３１は、記憶部３５に対して種々のデータを記憶させる処理を行うと共に、表示部３６に情報を表示させる処理を行う。なお、表示部３６は、例えば液晶表示装置等からなる。
【００２８】
図２は、上記した受信装置３のＲＦ入力部３２の概略構成図を示す。図示のように、ＲＦ入力部３２は、バンドパスフィルタ３２１と、ＡＧＣ回路（自動利得制御回路）３２２と、増幅器３２３と、混合器３２４と、局部発振器３２５と、ローパスフィルタ３２６と、増幅器３２７と、ＡＤ変換部３２８と、を備える。バンドパスフィルタ３２１は、アンテナ３９より受信された信号（例えば、送信装置２のＲＦ出力部２２からワイヤレス伝送されたＲＦ信号Ａ２０）に対して、所定の帯域のみを通過させる処理を行う。また、バンドパスフィルタ３２１は、制御部３１から供給される制御信号Ｓ３２１に応じた受信チャンネルについて当該処理を行う。
【００２９】
ＡＧＣ回路３２２は、バンドパスフィルタ３２１で処理された信号に対して、利得(感度)を自動調整する処理を行う。即ち、ＡＧＣ回路３２２は、アンテナ３９から受信した電波の強さに応じて、受信装置３における利得の調整を行う。この場合、受信された電波が微小のときは利得が大きくなる傾向にあり、受信された電波が強い場合は利得が小さくなる傾向にある。また、ＡＧＣ回路３２２は、このような利得状況に関する情報を信号Ｄ１として制御部３１に供給する。増幅器３２３は、ＡＧＣ回路３２２で処理後の信号を増幅し、ローカル発振器３２５は、所定の周波数の信号を発振する。そして、混合器３２４は、増幅器３２３から出力された信号とローカル発振器３２５から出力された信号とを混合してローパスフィルタ３２６に供給する。ローパスフィルタ３２６は、混合器３２４から供給された信号に対して、所定の帯域のみを通過させる処理を行う。そして、増幅器３２７は、ローパスフィルタ３２６から供給された信号を増幅する処理を行い、ＡＤ変換部３２８は、増幅器３２７で増幅後の信号をＡＤ変換して復調部３３に供給する。
【００３０】
ここで、本実施例において、受信装置３の制御部３１が行う処理の概要について説明を行う。本実施例では、制御部３１は、受信装置３が置かれている環境の電波状態（電波的状況、若しくは電波的バックグランドノイズ）をユーザに知らせる処理を行う。具体的には、制御部３１は、送信装置２と受信装置３とが非通信状態にある際に、受信装置３の設置場所における電波状態を検出し、検出した電波状態に関する情報を記憶部３５に記憶させて、当該情報を表示部３６に表示させる処理を行う。つまり、送信装置２側からの電波の送信は行わずに、受信装置３が設置された場所自体の電波的環境を検出する。詳しくは、制御部３１は、ＡＧＣ回路３２２から取得された利得状況に関する情報（前述した信号Ｄ１に対応する）に基づいて、電波状態の検出を行う。前述したように、受信された電波が微小のときは利得が大きくなる傾向にあり、受信された電波が強い場合は利得が小さくなる傾向にあるので、このような利得を監視することで電波状態を適切に検出することができる。更に、制御部３１は、受信装置３における受信チャンネルごとに電波状態の検出を行い、検出された電波状態に基づいて、受信チャンネルごとに妨害波のレベル（強度）に相当する情報を表示させる。
【００３１】
こうすることによって、例えば、どの受信チャンネルも状態が良くない場合（つまり、どの受信チャンネルにもあるレベル以上の妨害がある場合）は、設置場所の変更を促したり、妨害源が分かっている場合は当該妨害源を移動させることを促したりすることができる。更に、制御部３１は、上記のような検出を行った結果、最も良い電波状態であった受信チャンネルを自動的にデフォルトに設定する処理を行う、若しくは当該受信チャンネルをユーザに知らせる処理を行う。なお、送信装置２の設置は、このような処理の後に行われる。以上のように、制御部３１は、本発明における電波状態検出装置に相当する。具体的には、制御部３１は、電波状態検出手段及び表示手段として機能する。
【００３２】
制御部３１が上記のような処理を行う理由は、以下の通りである。ワイヤレスにて音声を伝送するワイヤレススピーカといった機器においては、設置された場所の電波的環境が良くない場合に、音途切れやノイズ発生といった症状が発生する場合がある。特に、ＡＶ信号を伝送する場合は、妨害を受けることで画音の途切れやノイズにつながる傾向にある。しかしながら、電波的環境が良く分からない場合には、ワイヤレススピーカを良い状態に設置・設定することが困難であると言える。
【００３３】
一方、今日においては、特にＩＳＷバンド（２．４ＧＨｚ帯など）を使用した機器が多く市場に導入され、同じ環境内に同居する場合が多い。また、そういった機器が、世帯内だけでなく、近くの世帯で使用された場合も電波的影響を受ける場合がある。このように、同じ周波数帯域の機器からの妨害を受けた場合に、無線機器の通信チャンネルを変更したり、妨害機器から距離を離してみたりすることで改善を試みることになるが、ユーザはその電波的環境（どのチャンネルが妨害を受けているかや、どのくらいの強さで妨害を受けているか等）がはっきり認識できないため、試行錯誤することとなる。スペクトラムアナライザーなどの機器で、そういった電波的環境を認識するという方法も考えられるが、そのような機器は一般的ではないと言える。
【００３４】
したがって、本実施例では、受信装置３の制御部３１において、受信装置３が置かれている環境の電波状態（電波的バックグランドノイズ）の検出を行う。これにより、簡易的に、受信装置３が置かれている環境の電波状態を適切にユーザに知らせることができる。よって、別の場所に受信装置３を設置すべきであることをユーザに知らせることで、電波的環境の良い場所に受信装置３を設置するよう促すことができたり、妨害源が分かっている場合は当該妨害源を移動させることを促したりすることができる。また、本実施例では、ＲＦ入力部３２内のＡＧＣ回路３２２を利用して電波状態の検出を行うため、新たな回路などを追加する必要がないので、コストアップを適切に抑制することができる。更に、例えば長時間、電波状態の検出を行うことで、その環境における電波状態の時間的変移もユーザに適切に知らせることができる。
【００３５】
［表示例］
次に、検出した電波状態に対応する情報の表示例について説明する。ここでは、受信装置３を複数の場所に設置して電波状態を検出した場合の表示例について説明する。この場合、制御部３１は、複数の設置場所で検出された電波状態を記憶部３５に記憶させ、この記憶された電波状態を比較することにより比較結果を表示部３６に表示させる。
【００３６】
図３は、受信装置３を複数の場所に設置して電波状態の検出を行った場合の表示例を示している。ここでは、設置場所と受信チャンネル（ｃｈ１、ｃｈ２、ｃｈ３）ごとの妨害波のレベル（Ａ〜Ｃ）との関係を表示する例について説明する。なお、レベルＡ、レベルＢ、レベルＣの順に、妨害波のレベルが高くなる、つまり電波的環境が悪化するものとする。
【００３７】
図３（ａ）は、１回目の設置場所（Ｌｏｃａｔｉｏｎ：１）で検出を行った場合の表示例を示している。この場合、受信チャンネルｃｈ１はレベルＡであり、受信チャンネルｃｈ２はレベルＢであり、受信チャンネルｃｈ３は検出中となっている。例えば、検出中には「ｎｏｗ  ｄｅｔｅｃｔｉｎｇ」といった文字がブリンクされ、検出後に確定したレベルが表示される。図３（ｂ）は、ユーザが１回目の設置場所（Ｌｏｃａｔｉｏｎ：１）とは異なる場所に受信装置３を設置した場合、つまり２回目の設置場所（Ｌｏｃａｔｉｏｎ：２）に受信装置３を設置した場合の表示例を示している。この場合、受信チャンネルｃｈ１は検出中となっており、受信チャンネルｃｈ２、ｃｈ３は未検出となっている。
【００３８】
図３（ｃ）は、上記のようにして設置場所の変更を繰り返して検出を行った場合における結果の表示例を示している。ここでは、電波状態が良い設置場所の順に、各受信チャンネルごとの状態を表示している。この例では、「Ｌｏｃａｔｉｏｎ：５」で示す設置場所が最も電波状態が良いことがわかる。なお、制御部３１は、複数の設置場所で検出された電波状態を記憶部３５に記憶し、記憶部３５に記憶された複数の電波状態を比較する処理を行うことによって、図３（ｃ）に示すような表示を行う。
【００３９】
以上のように検出結果を表示させることにより、設置場所の変更によって電波状態がどのように変化したかをユーザに適切に伝えることができ、受信装置３を設置する環境における電波的傾向をユーザに知らせることが可能となる。
【００４０】
なお、図３では「Ｌｏｃａｔｉｏｎ：１」や「Ｌｏｃａｔｉｏｎ：２」といった具合に設置場所を表示する例を示したが、この代わりに、ユーザが入力した具体的な設置場所（例えばテレビの下など）を表示させても良い。この場合、ユーザは、キーボードなどを用いて設置場所を入力することができる。また、図３では妨害波のレベルをＡ〜Ｃによって表示する例を示したが、この代わりに、妨害波のレベルをレベルバーなどで表示させても良い。
【００４１】
更に、上記では、制御部３１が、複数の設置場所で検出された電波状態の比較結果を表示する例を示したが、このような機能を具備させないで制御部３１を構成しても良い。この場合には、ユーザが複数の設置場所ごとの検出結果についてメモを取り、自ら比較を行うことで、同様の結果を得ることができる。このように制御部３１を構成した場合には、既存のオーディオワイヤレススピーカの受信装置に対する変更を最小限に留めることができ、コストアップを効果的に抑制することができる。
【００４２】
［制御部における処理］
次に、受信装置３内の制御部３１が行う処理の例について説明する。ここでは、受信装置３を複数の場所に設置して電波状態を検出して、複数の設置場所での電波状態の比較結果を表示させる場合に行われる処理について説明する。
【００４３】
図４は、制御部３１が行う処理を示すフローチャートである。なお、当該処理において、受信チャンネルを「ｎ」と表記し、受信装置３の設置場所を「ｐ」と表記するものとする。また、当該処理の開始時には、「ｎ＝１」に設定され、「ｐ＝１」に設定される。更に、ここでは、受信装置３が３つの受信チャンネルを有する場合を例に挙げる。
【００４４】
まず、ステップＳ１０１では、制御部３１は、受信チャンネルを「ｎ」に設定し、受信装置３の設置場所を「ｐ」に設定する。そして、処理はステップＳ１０２に進む。ステップＳ１０２では、制御部３１は、受信装置３を受信状態に設定して、この後にＡＧＣ回路３２２から利得状況に関する情報を取得し（具体的には、ＡＧＣ回路３２２の利得変動状況を一定時間検出する）、この情報を記憶部３５に記憶させる。そして、処理はステップＳ１０３に進む。
【００４５】
ステップＳ１０３では、制御部３１は、受信チャンネルが「３」であるか否か（「ｎ＝３」であるか否か）を判定する。即ち、全ての受信チャンネルに対する検出が終了したか否かを判定する。「ｎ＝３」である場合（ステップＳ１０３；Ｙｅｓ）、処理はステップＳ１０５に進み、「ｎ＝３」でない場合（ステップＳ１０３；Ｎｏ）、処理はステップＳ１０４に進む。ステップＳ１０４では、制御部３１は、受信チャンネルを「ｎ＝ｎ＋１」と設定する。つまり、次の受信チャンネルにて検出が行われるように設定を行う。そして、処理はステップＳ１０１に戻り、上記したステップＳ１０１〜Ｓ１０３の処理を再度行う。
【００４６】
ステップＳ１０５では、制御部３１は、現在検出を行った場所が１回目の設置場所であるか否か（「ｐ＝１」であるか否か）を判定する。「ｐ＝１」である場合（ステップＳ１０５；Ｙｅｓ）、処理はステップＳ１０６に進む。ステップＳ１０６では、制御部３１は、現在の「ｐ」の設置場所における検出結果を表示部３６に表示させる。つまり、「ｐ＝１」の設置場所（１回目の設置場所）の検出結果を表示させる。この場合には、１つの設置場所の検出結果しかないため、当該設置場所の検出結果のみを表示する。例えば、制御部３１は、３つの受信チャンネルごとの妨害波のレベルに相当する情報を表示させる。そして、処理はステップＳ１０８に進む。
【００４７】
一方、「ｐ＝１」でない場合（ステップＳ１０５；Ｎｏ）、処理はステップＳ１０７に進む。ステップＳ１０７では、制御部３１は、現在の「ｐ」の設置場所における検出結果、及び「ｐ」の設置場所と「ｐ」以外の設置場所（以前に検出を行った設置場所）との比較結果を、表示部３６に表示させる。例えば、制御部３１は、現在までに検出を行った全ての設置場所における受信チャンネルごとの妨害波のレベルや、以前に検出を行った設置場所に対する現在検出を行った設置場所での電波状態の良し悪しなどを表示させる。そして、処理はステップＳ１０８に進む。
【００４８】
ステップＳ１０８では、制御部３１は、現在検出を行った場所に受信装置３を設置するか否かの判断をユーザから得る。現在検出を行った場所に設置する場合（ステップＳ１０８；Ｙｅｓ）、処理はステップＳ１１０に進む。ステップＳ１１０では、制御部３１は、最も良い電波状態であった受信チャンネルをデフォルトに設定すると共に、当該受信チャンネルを表示部３６に表示させる処理を行う。以上の処理が終了すると、処理は当該フローを抜ける。
【００４９】
一方、現在検出を行った場所に設置しない場合（ステップＳ１０８；Ｎｏ）、処理はステップＳ１０９に進む。ステップＳ１０９では、制御部３１は、ユーザによって受信装置３が別の場所に設置された後に、受信チャンネルを「ｎ＝１」と設定すると共に、設置場所を「ｐ＝ｐ＋１」と設定する。そして、処理はステップＳ１０１に戻り、前述した処理を再度行う。
【００５０】
以上説明した処理によれば、簡易的に、受信装置３が置かれている環境の電波状態をユーザに知らせることができ、受信装置３の設置を最適に行わせることが可能となる。
【００５１】
［他の実施例］
次に、他の実施例について説明する。
【００５２】
上記では、受信装置３の設置場所を変更して電波状態を検出する実施例を示したが、これに限定はされない。他の実施例では、受信装置３の設置場所がある程度決定された後に、受信装置３を当該設置場所に固定して、受信装置３を微調整しながら電波状態の検出を行うことができる。図５は、このように受信装置３を微調整しながら電波状態の検出を行った場合の表示例を示している。図５では、受信チャンネルｃｈ１における妨害波についての簡単なレベル表示を示している。例えば、受信装置３の微調整として、受信装置３の方向（アンテナ３９の方向など）を回転させることができる。この場合、受信装置３の方向ごとに（例えば、角度０°、角度９０°、角度１８０°ごとに）、検出結果を記憶させて表示させることができる。
【００５３】
更に他の実施例では、受信装置３の設置場所を固定して、妨害波を発生すると考えられる妨害源（例えば電子機器）を動作させたり移動させたりして、電波状態の検出を行うことができる。図６は、妨害源を動作させた後に電波状態の検出を行った場合の表示例を示している。図６（ａ）は、１つ目の妨害源（Ｅｑｕｉｐｍｅｎｔ：１）を動作させた後に検出を行った場合の表示例を示しており、図６（ｂ）は、３つ目の妨害源（Ｅｑｕｉｐｍｅｎｔ：３）を動作させた後に検出を行った場合の表示例を示している。なお、図６に示すように「Ｅｑｕｉｐｍｅｎｔ：１」や「Ｅｑｕｉｐｍｅｎｔ：３」といった表示を行う代わりに、ユーザが入力した具体的な妨害源（機器名）を表示しても良い。また、上記のようにして妨害源を動作させて検出を行うことにより妨害源が確定した後、当該妨害源と受信装置３との距離を変えることによって（例えば当該妨害源を移動させることによって）、電波状態の検出を更に行うことができる。この場合、妨害源と受信装置３との距離を変えることで妨害波のレベルが変わることを、リアルタイムで表示させても良い。
【００５４】
なお、上記では、検出された電波状態に対応する情報として妨害波のレベルを表示する実施例を示したが、これに限定はされない。他の例では、妨害波のレベルの代わりに、電波状態の良し悪しを表示することができる。例えば、「ＧＯＯＤ」や「ＮＧ」といった文字を表示させることができる。また、検出された電波状態に対応する情報を受信装置３にのみ表示することに限定はされず、送信装置２や受信装置３などを操作するリモコンに、電波状態に対応する情報を表示させても良い。これにより、受信装置３からある程度離れた位置でユーザが検出を行っている場合（例えば妨害源を移動させて検出を行っている場合）にも、電波状態を容易に認識させることができる。
【００５５】
更に、上記のように電波状態に対応する情報を表示することに限定はされず、電波状態に応じた音をスピーカ３４などから発生させても良い。例えば、妨害波のレベルに応じて音の間隔や高低や大小などを変えることで、電波状態に対応する情報をユーザに報知することができる。これにより、受信装置３からある程度離れた位置でユーザが検出を行っている場合（例えば妨害源を移動させて検出を行っている場合）にも、電波状態を容易に認識させることができる。
【００５６】
なお、上記では、受信装置３が電波状態の検出を行う実施例を示したが、機器が送受信の両方の機能を備える場合には、それぞれについて、同様にして電波状態の検出を行わせることができる。
【図面の簡単な説明】
【００５７】
【図１】本実施例に係るオーディオワイヤレススピーカの概略構成図を示す。
【図２】ＲＦ入力部の概略構成図を示す。
【図３】受信装置を複数の場所に設置して電波状態の検出を行った場合の表示例を示す。
【図４】制御部が行う処理を示すフローチャートである。
【図５】受信装置を微調整しながら電波状態の検出を行った場合の表示例を示す。
【図６】妨害源を動作させた後に電波状態の検出を行った場合の表示例を示す。
【符号の説明】
【００５８】
２  送信装置
３  受信装置
２１  制御部
２２  ＲＦ出力部
３１  制御部
３２  ＲＦ入力部
３４  スピーカ
３５  記憶部
３６  表示部
１００  オーディオワイヤレススピーカ
３２２  ＡＧＣ回路
【図１】
2010025660.tif 000003
【図２】
2010025660.tif 000004
【図３】
2010025660.tif 000005
【図４】
2010025660.tif 000006
【図５】
2010025660.tif 000007
【図６】
2010025660.tif 000008